【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
ネットワークを介して接続されたユーザ端末とライセンス情報発行サーバとを有するライセンス転送システムであって、
転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行手段をユーザ端末が有し、
前記ユーザ端末から送信された転送用無効化ライセンスキー、及び前記転送先デバイスの固有情報に基いて転送ライセンスキーを生成して発行する転送用ライセンスキー発行手段と、
前記転送用ライセンスキー発行手段により転送ライセンスキーが発行された際に、転送元デバイスのライセンスキーを無効にするライセンスキー無効化手段とを前記ライセンス情報発行サーバが有することを特徴とするライセンス転送システム。
【請求項２】
ネットワークを介してライセンス情報発行サーバと接続されてネットワークシステムを構成するユーザ端末であって、
転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行手段と、
前記ライセンス情報発行サーバから送られたライセンスキーを用いて前記オプション機能を有効にするオプション機能有効化手段とを有することを特徴とするユーザ端末。
【請求項３】
前記ライセンス情報発行サーバから送られたライセンスキーの正当性を判定する正当性判定手段を有し、
前記オプション機能有効化手段は、前記正当性判定手段により前記ライセンスキーの正当性が確認された場合に前記オプション機能を有効にすることを特徴とする請求項２に記載のユーザ端末。
【請求項４】
前記ライセンスキーの有効性を判定する有効性判定手段を有し、
前記オプション機能有効化手段は、前記有効性判定手段により前記ライセンスキーの有効性が確認された場合に前記オプション機能を有効にすることを特徴とする請求項２または３に記載のユーザ端末。
【請求項５】
前記オプション機能を起動させるデバイスの機体番号の同一性を判定する機体番号判定手段を有し、
前記オプション機能有効化手段は、前記機体番号判定手段により前記オプション機能を起動させるデバイスの機体番号の同一性が確認された場合に前記オプション機能を有効にすることを特徴とする請求項２〜４の何れか１項に記載のユーザ端末。
【請求項６】
ユーザ端末から送信された転送用無効化ライセンスキー及び転送先デバイスの固有情報に基いて、転送ライセンスキーを生成して発行する転送用ライセンスキー発行手段と、
前記転送用ライセンスキー発行手段により転送ライセンスキーが発行された際に、転送元デバイスのライセンスキーを無効にするライセンスキー無効化手段とを有することを特徴とするライセンス情報発行サーバ。
【請求項７】
転送要求が行われたオプション機能のライセンス情報が既に転送または再発行されているか否かを判定する転送可否判定手段を有し、前記オプション機能のライセンス情報の発行が過去に行われたと判定した場合には、前記オプション機能のライセンスを発行しないことを特徴とする請求項６に記載のライセンス情報発行サーバ。
【請求項８】
前記転送要求が行われたオプション機能の転送先デバイスの機体番号が所定の機番の範囲内であるか否かを判定する機番判定手段を有し、転送先デバイスの機体番号が予め設定されている所定の機体番号の範囲外である場合には、前記オプション機能のライセンスを発行しないことを特徴とする請求項６または７に記載のライセンス情報発行サーバ。
【請求項９】
ネットワークを介して接続されたユーザ端末とライセンス情報発行サーバとの間で行われるライセンス転送方法であって、
転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理を前記ユーザ端末が行い、
前記ユーザ端末から送信された転送用無効化ライセンスキー、及び前記転送先デバイスの固有情報に基いて転送ライセンスキーを生成して発行する転送用ライセンスキー発行処理と、
前記転送用ライセンスキー発行処理により転送ライセンスキーが発行された際に、転送元デバイスのライセンスキーを無効にするライセンスキー無効化処理とを前記ライセンス情報発行サーバが行うことを特徴とするライセンス転送方法。
【請求項１０】
ネットワークを介してライセンス情報発行サーバと接続されてネットワークシステムを構成するユーザ端末で行われる情報処理方法であって、
転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理と、
前記ライセンス情報発行サーバから送られたライセンスキーを用いて前記オプション機能を有効にするオプション機能有効化処理とを有することを特徴とする情報処理方法。
【請求項１１】
前記ライセンス情報発行サーバから送られたライセンスキーの正当性を判定する正当性判定処理を有し、
前記オプション機能有効化処理においては、前記正当性判定処理により前記ライセンスキーの正当性が確認された場合に前記オプション機能を有効にすることを特徴とする請求項１０に記載の情報処理方法。
【請求項１２】
前記ライセンスキーの有効性を判定する有効性判定処理を有し、
前記オプション機能有効化処理においては、前記有効性判定処理により前記ライセンスキーの有効性が確認された場合に前記オプション機能を有効にすることを特徴とする請求項１０または１１に記載の情報処理方法。
【請求項１３】
前記オプション機能を起動させるデバイスの機体番号の同一性を判定する機体番号判定処理を有し、
前記オプション機能有効化処理においては、前記機体番号判定処理により前記オプション機能を起動させるデバイスの機体番号の同一性が確認された場合に前記オプション機能を有効にすることを特徴とする請求項１０〜１２の何れか１項に記載の情報処理方法。
【請求項１４】
ユーザ端末から送信された転送用無効化ライセンスキー及び転送先デバイスの固有情報に基いて、転送ライセンスキーを生成して発行する転送用ライセンスキー発行処理と、
前記転送用ライセンスキー発行処理により転送ライセンスキーが発行された際に、転送元デバイスのライセンスキーを無効にするライセンスキー無効化処理とを有することを特徴とするライセンス情報転送方法。
【請求項１５】
転送要求が行われたオプション機能のライセンス情報が既に転送または再発行されているか否かを判定する転送可否判定処理を有し、前記オプション機能のライセンス情報の発行が過去に行われたと判定した場合には、前記オプション機能のライセンスを発行しないことを特徴とする請求項１４に記載のライセンス情報転送方法。
【請求項１６】
前記転送要求が行われたオプション機能の転送先デバイスの機体番号が所定の機番の範囲内であるか否かを判定する機番判定処理を有し、転送先デバイスの機体番号が予め設定されている所定の機体番号の範囲外である場合には、前記オプション機能のライセンスを発行しないことを特徴とする請求項１４または１５に記載のライセンス情報転送方法。
【請求項１７】
ネットワークを介して接続されたユーザ端末とライセンス情報発行サーバとの間で行われるライセンス情報転送方法をコンピュータに実行させるプログラムであって、
転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理を前記ユーザ端末のコンピュータに実行させ、
前記ユーザ端末から送信された転送用無効化ライセンスキー、及び前記転送先デバイスの固有情報に基いて転送ライセンスキーを生成して発行する転送用ライセンスキー発行処理と、
前記転送用ライセンスキー発行処理により転送ライセンスキーが発行された際に、転送元デバイスのライセンスキーを無効にするライセンスキー無効化処理とを前記ライセンス情報発行サーバのコンピュータに実行させることを特徴とするコンピュータプログラム。
【請求項１８】
ネットワークを介してライセンス情報発行サーバと接続されてネットワークシステムを構成するユーザ端末で行われる情報処理方法をコンピュータに実行させるプログラムであって、
転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理と、
前記ライセンス情報発行サーバから送られたライセンスキーを用いて前記オプション機能を有効にするオプション機能有効化処理とをユーザ端末のコンピュータに実行させることを特徴とするコンピュータプログラム。
【請求項１９】
ユーザ端末から送信された転送用無効化ライセンスキー及び転送先デバイスの固有情報に基いて、転送ライセンスキーを生成して発行する転送用ライセンスキー発行処理と、
前記転送用ライセンスキー発行処理により転送ライセンスキーが発行された際に、転送元デバイスのライセンスキーを無効にするライセンスキー無効化処理とを有するライセンス情報転送方法の各処理をコンピュータに実行させることを特徴とするコンピュータプログラム。
【請求項２０】
請求項１７〜１９の何れか１項に記載のコンピュータプログラムを記録したことを特徴とするコンピュータ読み取り可能な記録媒体。
【手続補正２】
【補正対象書類名】明細書
【補正対象項目名】００１４
【補正方法】変更
【補正の内容】
【００１４】
本発明のライセンス情報発行サーバは、ユーザ端末から送信された転送用無効化ライセンスキー及び転送先デバイスの固有情報に基いて、転送ライセンスキーを生成して発行する転送用ライセンスキー発行手段と、前記転送用ライセンスキー発行手段により転送ライセンスキーが発行された際に、転送元デバイスのライセンスキーを無効にするライセンスキー無効化手段とを有することを特徴とする。
【手続補正３】
【補正対象書類名】明細書
【補正対象項目名】００１５
【補正方法】変更
【補正の内容】
【００１５】
本発明のライセンス転送方法は、ネットワークを介して接続されたユーザ端末とライセンス情報発行サーバとの間で行われるライセンス転送方法であって、転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理を前記ユーザ端末が行い、前記ユーザ端末から送信された転送用無効化ライセンスキー、及び前記転送先デバイスの固有情報に基いて転送ライセンスキーを生成して発行する転送用ライセンスキー発行処理と、前記転送用ライセンスキー発行処理により転送ライセンスキーが発行された際に、転送元デバイスのライセンスキーを無効にするライセンスキー無効化処理とを前記ライセンス情報発行サーバが行うことを特徴とする。
【手続補正４】
【補正対象書類名】明細書
【補正対象項目名】００１７
【補正方法】変更
【補正の内容】
【００１７】
本発明のライセンス情報転送方法は、ユーザ端末から送信された転送用無効化ライセンスキー及び転送先デバイスの固有情報に基いて、転送ライセンスキーを生成して発行する転送用ライセンスキー発行処理と、前記転送用ライセンスキー発行処理により転送ライセンスキーが発行された際に、転送元デバイスのライセンスキーを無効にするライセンスキー無効化処理とを有することを特徴とする。
【手続補正５】
【補正対象書類名】明細書
【補正対象項目名】００１８
【補正方法】変更
【補正の内容】
【００１８】
本発明のコンピュータプログラムは、ネットワークを介して接続されたユーザ端末とライセンス情報発行サーバとの間で行われるライセンス情報転送方法をコンピュータに実行させるプログラムであって、転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理を前記ユーザ端末のコンピュータに実行させ、前記ユーザ端末から送信された転送用無効化ライセンスキー、及び前記転送先デバイスの固有情報に基いて転送ライセンスキーを生成して発行する転送用ライセンスキー発行処理と、前記転送用ライセンスキー発行処理により転送ライセンスキーが発行された際に、転送元デバイスのライセンスキーを無効にするライセンスキー無効化処理とを前記ライセンス情報発行サーバのコンピュータに実行させることを特徴とする。
また、本発明のコンピュータプログラムの他の特徴とするところは、ネットワークを介してライセンス情報発行サーバと接続されてネットワークシステムを構成するユーザ端末で行われる情報処理方法をコンピュータに実行させるプログラムであって、転送元デバイスに組み込まれているオプション機能に関するライセンスを転送先デバイスに転送するために、前記ライセンス情報発行サーバに送信するための転送用無効化ライセンスキーを生成して発行する転送用無効化ライセンスキー発行処理と、前記ライセンス情報発行サーバから送られたライセンスキーを用いて前記オプション機能を有効にするオプション機能有効化処理とをユーザ端末のコンピュータに実行させることを特徴とする。
また、本発明のコンピュータプログラムのその他の特徴とするところは、ユーザ端末から送信された転送用無効化ライセンスキー及び転送先デバイスの固有情報に基いて、転送ライセンスキーを生成して発行する転送用ライセンスキー発行処理と、前記転送用ライセンスキー発行処理により転送ライセンスキーが発行された際に、転送元デバイスのライセンスキーを無効にするライセンスキー無効化処理とを有するライセンス情報転送方法の各処理をコンピュータに実行させることを特徴とする。